(57)【要約】  ハンドルは、略平行六面体の形態の箱型の本体（１）を備え、ドア（Ｐ）の厚さ（ｓ）に埋め込めるような適切な寸法を有し、それによって、本体の２つの対向する長手方向面（ＦＬ）はドアの対向面と同一平面上になる。本体（１）は、Ｌ字型の構成の一対の同一の保持レバー（２）を収容する。保持レバー（２）は、枢軸ピン（３）の垂直軸の回りを旋回する。保持レバー（２）の両方はカーソル（６、６０）と協働する。カーソル（６、６０）は、平行方向に摺動する板からなり、両方の保持レバー（２）を結合するために用いる窓（７、７０）を備える。保持レバー（２）は箱型の本体（１）から突出しない。【選択図】図５
2015529291.tif 000002
【特許請求の範囲】
【請求項１】
−２つの対向する、平坦であって垂直な長手方向の側面（ＦＬ）を備える略平行六面体の形態の箱型の本体（１）と、
−対向する一対の同一の保持レバー（２）であって、起動されていないときは、前記本体（１）の前記長手方向面（ＦＬ）と同一平面上の平行位置に延在し、前記ドア（Ｐ）の内側（ＦＬ）から保持することができる内側の保持レバー（２ｉ）と、前記ドア（Ｐ）の外側（ＦＥ）から保持することができる外側の保持レバー（２ｅ）とを支持し、前記保持レバー（２）は枢軸ピン（３）の垂直軸で枢動し、戻しばね（４）の戻し力を受ける保持レバー（２）と、
−前記本体（１）内部に、平行軸に沿って摺動して収容されるカーソル（６、６０）であって、垂直面上にある長方形の板からなり、大きな長方形の窓（７、７０）を備え、前記長方形の窓（７、７０）内には、両方の保持レバー（２ｉ、２ｅ）が固定され、それによって、保持レバー（２ｉ、２ｅ）のいずれかを起動すると、前記カーソル（６、６０）の後方移動を決定し、前記ドア（Ｐ）を開放するカーソル（６、６０）と、
−前記本体（１）内に収容され、誘導チャンネル（９）内を平行方向に沿って、前記カーソル（６、６０）の前記摺動方向に直交して摺動する爪（８）と、
を備える、ドアハンドル。
【請求項２】
前記爪（８）は空洞構造を有し、外側にキャッチ（８ａ）を備え、前記爪の前記空洞構造内に含有される前記戻しばね（１０）の反動作用を常に受け、前記戻しばね（１０）は、前記爪（８）を外側に押し出すように適応され、前記キャッチ（８ａ）の非動作位置に対応する第１の移動終了位置に前記爪（８）を保持することを特徴とする、請求項１に記載のハンドル。
【請求項３】
各保持レバー（２）はＬ字型の構成を有し、第１の長いアーム（２ａ）と、前記第１のアーム（２ａ）に直交する第２の短いアーム（２ｂ）から形成され、前記第１の長いアーム（２ａ）は、前記レバー（２）が起動されないときは、前記本体（１）の対向する長手方向面（ＦＬ）のうちの１つと同一平面上の平行位置に延在することを特徴とする、請求項１〜２のいずれか一項に記載のハンドル。
【請求項４】
各レバー（２）の前記短いアーム（２ｂ）は保持歯（２ｂ’）を備え、前記保持歯（２ｂ’）は、前記爪（８）が前記本体（１）の前記内部に向かって前記最終移動位置まで押されるとき、前記キャッチ（８ａ）に固定されるように適応されることを特徴とする、請求項３に記載のハンドル。
【請求項５】
前記誘導チャンネル（９）は後部要素（９ａ）を備え、前記後部要素（９ａ）に対して、前記キャッチ（８ａ）は、前記ばね（１０）の推進力下で押し出されて移動する最終位置で係止されることを特徴とする、請求項２に記載のハンドル。
【請求項６】
前記戻しばね（４）は点（Ｐ１）で前記長いアーム（２ａ）に固定され、点（Ｐ２）で前記本体（１）に固定されることを特徴とする、請求項３に記載のハンドル。
【請求項７】
前記短いアーム（２ｂ）は前記窓（７、７０）に挿入されることを特徴とする、請求項６に記載のハンドル。
【請求項８】
前記本体（１）の２つの対向する前記長手方向面（ＦＬ）上に、前記長いアーム（２ａ）に完全には覆われない２つの窓（１ａ）があることを特徴とする、請求項１〜７のいずれか一項に記載のハンドル。
【請求項９】
前記本体（１）は、係止として作用する、対向する一対の仕切り（５）を備え、前記一対の仕切り（５）に対して、前記２つのレバー（２）はそれぞれ係止され、前記同じレバーが起動されるまで係合することを特徴とする、請求項１〜８のいずれか一項に記載のハンドル。
【請求項１０】
前記カーソル（６）は前記正面（６ａ）上に磁石（１１）を内蔵し、前記ドア（Ｐ）が閉鎖されているときは、前記磁石（１１）は、前記ドア（Ｐ）の前記枠（Ｔ）に取り付けられた前記後部板（１３）に内蔵された類似する磁石（１２）と相互作用することを特徴とする、請求項１〜９のいずれか一項に記載のハンドル。
【請求項１１】
前記カーソル（６０）は小さな接続ロッド（６１）によって、一端部にフック（６２ａ）を備える固定具（６２）に接続され、前記固定具（６２）の他端部は枢軸ピン（６３）を受容するための穴を備え、前記枢軸ピン（６３）によって、前記固定具（６２）は板（６４）に蝶番式に取り付けられ、前記板（６４）は、前記フック（６２ａ）を通すことができる中央のスロット（６４ａ）と、前記ドア（Ｐ）の前記リブ（Ｂ）上に固定するための対向する一対の穴（６４ｂ）とを備えることを特徴とする、請求項１〜９のいずれか一項に記載のハンドル。
【請求項１２】
前記フック（６２ａ）は磁石（１１）を内蔵し、前記ドア（Ｐ）が閉鎖されているときは、前記磁石（１１）は、前記ドア（Ｐ）の前記枠（Ｔ）に取り付けられた前記後部板（１３）に内蔵された類似する磁石（１２）と相互作用し、前記後部板（１３）は前記フック（６２ａ）をひっかけるための屈曲した座面（１３ａ）を備えることを特徴とする、請求項１１に記載のハンドル。
【発明の詳細な説明】
【技術分野】
【０００１】
産業発明の本特許出願は、ロックを備えた完全埋め込み式のドアハンドルに関する。
【背景技術】
【０００２】
完全埋め込み式のドアハンドルは、保持レバーおよび保持レバーの支持体がドアの垂直面から突出しないハンドルであり、今までになくすっきりとした直線状の外観を持つ。
【０００３】
既知の種類のドアハンドルのモデルは支持体を備える。支持体内では、ロックボルトは摺動して収容され、軸受体上では、ハンドルの２つの同一の保持レバーが対向側から挿入される。つまり、１つはドアの内側、もう１つはドアの外側から挿入される。
【０００４】
ドアロックを備えたハンドルの場合は、支持体は通常、鍵によって起動されるラッチからなる機構も収容する。
【０００５】
いずれの場合でも、ドアハンドルのすべてのモデルでは、ロックのあるなしに関わらず、保持レバーまたはノブは支持体から突出し、いずれの場合でも、ドアの２つの対向する垂直面から突出するため、数々の欠点が生じる。
【０００６】
まず、ドアが完全に開いている場合には、突出するレバーまたはノブは、ドアが設置されている壁に接触して止まり、外的接触によって部品が損傷する危険がある。
【０００７】
次に、保持レバーまたはノブは、ドアの近くを通る人の体に誤って当たることや、服を引っかけることもある。ドアの近くを通る人が、うっかりと傷害を負うことや、服を破くこともありえる。
【０００８】
さらに、既知の種類のドアハンドルの設計は、ドアから突出する保持レバーまたはノブがあるためすっきりした外観になることはなかったことに留意されたい。
【発明の概要】
【０００９】
本発明の目的は、ロックを備えた完全埋め込み式のドアハンドルを考案することによって前述の欠点を克服することであり、完全埋め込み式のドアハンドルでは、保持レバーがドアの２つの対向面から突出しない。
【００１０】
本目的は本発明のハンドルによって実現された。本発明のハンドルの主な革新的な特徴は、添付請求項第一項に記載する。
【００１１】
本発明のドアハンドルは、略平行六面体の形態の箱型の本体を備え、ドアの厚さに埋め込めるような適切な寸法であり、それによって、本体の２つの対向する長手方向面はドアの対向面と同一平面上になる。本体は、Ｌ字型の構成の一対の同一の保持レバーを収容する。保持レバーは、枢軸ピンの垂直軸の回りを旋回する。保持レバーの両方は同一のカーソルまたはラッチと協働する。カーソルまたはラッチは、平行方向に摺動する板からなり、両方のＬ字型の保持レバーを結合するために用いる窓を備える。
【００１２】
少なくとも、ドアを外側に開放するために保持レバーが引かれない限り、保持レバーは箱型の本体から突出しない。
【００１３】
本体はまた、爪を収容する。爪は、カーソルまたはラッチの摺動方向と直交する平行方向に、誘導チャンネル内を摺動する。爪は外側にキャッチを備え、戻しばねの反動作用を常に受ける。戻しばねは爪を外側に押し出す傾向にあり、爪を第１の移動終了位置に保持する。この位置はキャッチの非動作位置に対応する。キャッチは、第２の移動終了位置で保持レバー上のカウンターキャッチと係合するように適応される。それによって、内側のレバーが爪と嵌合していているとき、ドアの外側レバーの開口を妨げる干渉条件を決定する。爪は戻しばねの対抗力に打ち勝ちって、それ以前に第２の移動終了位置に到達するまで押されている。
【００１４】
説明を目的として、添付図を参照して本発明のドアハンドルの記述を続ける。添付図は例示的なものであり、限定するものではない。
【図面の簡単な説明】
【００１５】
【図１Ａ】本発明のドアハンドルの２つの保持レバーのうちの１つの図である。
【図１Ｂ】本発明のドアハンドルの２つの保持レバーのうちの１つを、図１Ａと別の角度から見た図である。
【図２】本発明によるハンドルの不等角投影図である。
【図３Ａ】本発明のドアハンドルの２つの保持レバーのうちの１つを係止するために用いる爪の図である。
【図３Ｂ】本発明のドアハンドルの２つの保持レバーのうちの１つを係止するために用いる爪を、図３Ａと別の角度から見た図である。
【図４】本発明のハンドルのラッチの図である。
【図５】蝶番式のドアに取り付けられた本発明のハンドルをドアの内側から見ており、ラッチは最大前進移動条件にあり、全体のドアの一部のみが示された図である。
【図６Ａ】ドアが開放されているとき、閉鎖されているとき、または閉鎖されてロックされているときの異なる位置における、本発明のハンドルの様々な部分のうちの１つの図である。
【図６Ｂ】ドアが開放されているとき、閉鎖されているとき、または閉鎖されてロックされているときの異なる位置における、本発明のハンドルの様々な部分のうちの１つの図である。
【図６Ｃ】ドアが開放されているとき、閉鎖されているとき、または閉鎖されてロックされているときの異なる位置における、本発明のハンドルの様々な部分のうちの１つの図である。
【図６Ｄ】ドアが開放されているとき、閉鎖されているとき、または閉鎖されてロックされているときの異なる位置における、本発明のハンドルの様々な部分のうちの１つの図である。
【図６Ｅ】ドアが開放されているとき、閉鎖されているとき、または閉鎖されてロックされているときの異なる位置における、本発明のハンドルの様々な部分のうちの１つの図である。
【図６Ｆ】ドアが開放されているとき、閉鎖されているとき、または閉鎖されてロックされているときの異なる位置における、本発明のハンドルの様々な部分の図である。
【図７】ドアに取り付けられたハンドルの分解組立不等角投影図であり、ラッチの板が固定されているドアおよびドア枠両方の切断面を示す。
【図８Ａ】本発明によるハンドルの箱型の本体を形成する２つの半体のうちの第１半体の図である。
【図８Ｂ】図８Ａの第１の半体を左右対称に長手方向面に切断した図である。
【図９Ａ】本発明によるハンドルの箱型の本体を形成する２つの半体のうちの第２の半体の図である。
【図９Ｂ】図９Ａの第２の半体を左右対称に長手方向面に切断した図である。
【図１０】本発明によるドアハンドルの代替的ヴァージョンであり、摺動ドア上に取り付けられ、固定具がかかった位置でドアの内側から見た図である。
【図１１】ドアおよびドア枠の両方の断面が示され、固定具の板は固定された、摺動ドア上に取り付けられる本発明によるドアハンドルの代替的ヴァージョンの分解組立図不等角投影図である。
【図１２】固定具および固定具の旋回板の起動機構の図である。
【図１３】固定具の旋回板の図である。
【図１４Ａ】ドアが開放されているとき、閉鎖されているとき、または閉鎖されてロックされているときの様々な位置における、本発明のハンドル（摺動ドア用ヴァージョン）の様々な部分の図である。
【図１４Ｂ】ドアが開放されているとき、閉鎖されているとき、または閉鎖されてロックされているときの様々な位置における、本発明のハンドル（摺動ドア用ヴァージョン）の様々な部分の図である。
【図１４Ｃ】ドアが開放されているとき、閉鎖されているとき、または閉鎖されてロックされているときの様々な位置における、本発明のハンドル（摺動ドア用ヴァージョン）の様々な部分の図である。
【図１４Ｄ】ドアが開放されているとき、閉鎖されているとき、または閉鎖されてロックされているときの様々な位置における、本発明のハンドル（摺動ドア用ヴァージョン）の様々な部分の図である。
【図１４Ｅ】ドアが開放されているとき、閉鎖されているとき、または閉鎖されてロックされているときの様々な位置における、本発明のハンドル（摺動ドア用ヴァージョン）の様々な部分の図である。
【図１４Ｆ】ドアが開放されているとき、閉鎖されているとき、または閉鎖されてロックされているときの様々な位置における、本発明のハンドル（摺動ドア用ヴァージョン）の様々な部分の図である。
【発明を実施するための形態】
【００１６】
図２および図５を参照すると、本発明のハンドルは、略平行六面体の形態の箱型の本体（１）を備える。箱型の本体（１）はドア（Ｐ）の厚さ（ｓ）に埋め込めるような適切な寸法であり、それによって、本体（１）の長手方向面（ＦＬ）の対向する平行な対はドア（Ｐ）の内側（ＦＬ）および外側（ＦＥ）のそれぞれ同一平面上にある。
【００１７】
２つの対向する長手方向面（ＦＬ）は平坦であり、垂直面上にあることに留意されたい。
【００１８】
図２に示すように、箱型の本体（１）は、２つのほとんど同一の半体を鏡面式に結合することによって得られる。２つの半体の１つ（１ｉ）はドアの内側（ＦＬ）に向き、もう１つ（１ｅ）はドアの外側（ＦＥ）に向く。
【００１９】
半体（１ｉおよび１ｅ）のそれぞれは、保持レバー（２）の支持体として作用する。ドアの内側（ＦＬ）上に配置される内側の保持レバー（２ｉ）と、ドア（Ｐ）の外側（ＦＥ）に配置される外側の保持レバー（２ｅ）とを区別することが可能である。
【００２０】
図１Ａおよび図１Ｂを参照すると、各保持レバー（２）はＬ字型の構成であり、第１の長いアーム（２ａ）および第１のアーム（２ａ）に垂直な第２の短いアーム（２ｂ）から形成される。第１の長いアーム（２ａ）は、レバーが起動されず、引かれていないときは、本体（１）の対向する長手方向面（ＦＬ）と同一平面上の平行位置に延在する。
【００２１】
本体（１）の２つの対向する長手方向面（ＦＬ）は、長いアーム（２ａ）に完全に覆われない２つの窓（１ａ）を備えることに留意されたい。そのため、指先を挿入し、保持レバー（２）をつかみ、図５に示すように外側に回転するための十分な空間（ＳＰ）が残る。
【００２２】
各保持レバー（２）は枢軸ピン（３）の垂直軸の回りを回転し、長いアーム（２ａ）に点（Ｐ１）で固定され、本体（１）に点（Ｐ２）で固定された戻しばね（４）の反動力を受ける。本体（１）はまた、レバー（２）の係止として作用するように適応された仕切り（５）を備える。図６Ａまたは図７に示すように、レバー（２）が担持され、引かれるまで、レバー（２）は係止され、仕切り（５）に対して係止されたままとなる。
【００２３】
本体（１）はカーソル（６）を収容する。カーソル（６）は、ストップラッチとして作用する平行軸に沿って摺動し、垂直面上の長方形の板からなり、大きな長方形の窓（７）を備える。長方形の窓（７）内では、２つの保持レバー（２）の短いアーム（２ｂ）の両方が係合する。
【００２４】
図４を参照すると、より詳細には、カーソル（６）は以下を備える。
−最大前方移動位置と、最大後方移動位置との２つの位置を持つことができる正面（６ａ）。最大前方移動位置では、カーソルはドア（Ｐ）のリブ（Ｂ）からはみ出し、最大後方移動位置では、カーソルはドア（Ｐ）のリブ（Ｂ）からはみ出さず、ドアを自由に開放することができる。
−近辺に長方形の窓（７）がある後面（６ｂ）。カーソル（６）の正面（６ａ）が最大前進移動位置に到達したときでも、後面（６ｂ）は常に本体（１）内部に留まる。
【００２５】
より詳細には、窓（７）は以下を備える。
−カーソル（６）の正面（６ａ）に平行な位置で対向する正面（７ａ）と、
−カーソル（６）の後面（６ｂ）に平行な位置で対向する後面（７ｂ）。
【００２６】
窓（７）の長さ「Ｌ」は、カーソル（６）が最大前進移動条件にあるときは、窓（７）の後面（７ｂ）は両方のレバー（２）の短い側（２ｂ）に非常に近くなる長さである。
【００２７】
本体（１）はまた、爪（８）を収容する。爪（８）は、カーソル（６）の摺動方向と直交する平行方向に、誘導チャンネル（９）内を摺動する。
【００２８】
図３Ａおよび図３Ｂに示すように、爪（８）は空洞構造を有し、外側にくさび型のキャッチ（８ａ）を備え、爪の空洞構造内に含有される戻しばね（１０）の反動作用を常に受ける。
【００２９】
図１Ａおよび図１Ｂに示すように、各レバー（２）の短いアーム（２ｂ）は保持歯（２ｂ’）を備える。保持歯（２ｂ’）は、一定の条件でキャッチ（８ａ）に固定されるように適応される。
【００３０】
ばね（１０）は爪（８）を外側に押し出す傾向があり、爪（８）を第１の移動終了位置（図６Ｆ参照）に保持する。この位置はキャッチ（８ａ）の非動作位置に対応する。キャッチは、第２の移動終了位置で保持歯（２ｂ’）と係合するように適応される。それによって、内側のレバー（２ｉ）が爪（８）に固定されるとき、ドアの外側レバー（２ｅ）の開口回転（Ｒ）を妨げる干渉条件（図６Ｃ参照）を決定する。爪（８）は、図６Ｂに示すように、戻しばね（１０）の対抗力に打ち勝って、それ以前に第２の移動終了位置に到達するまで押されている。
【００３１】
第２の移動終了位置では、爪（８）は窓（７）を貫通することに留意されたい。窓（７）は、適切な長さ「Ｌ」を備えて、２つの保持レバー（２）の短いアーム（２ｂ）を恒久的に受容し、爪（８）も場合によっては受容する。
【００３２】
図６Ｄおよび図６Ｅに連続して示すように、内側の保持レバー（２ｉ）を引っ張り、ばね（１０）の推進力によって結果的に爪（８）が押し出されるとき、キャッチ（８ａ）と保持歯（２ｂ’）との間の嵌合は自動的に解除される。
【００３３】
図９Ｂに示すように、ばね（１０）は爪（８）の内側の空洞の底部と、内側の半体（１ｉ）上に存在する固定ペグ（１０ａ）との間に配置される。
【００３４】
キャッチ（８ａ）はまた、ばね（１０）の推進力で最大に押し出される条件において、爪（８）の係止としても作用する。
【００３５】
爪（８）のハウジングおよび誘導チャンネル（９）は、後部要素（９ａ）を備える。後部要素（９ａ）に対して、ばね（１０）の推進力で押し出されて移動した終点でキャッチ（８ａ）は係止される。
【００３６】
図５および図７を参照すると、正面（６ａ）に対応して、カーソル（６）は磁石（１１）を内蔵し、この磁石（１１）は、ドア（Ｐ）が閉鎖される場合に、ドア（Ｐ）の枠（Ｔ）に取り付けた後部板（１３）に内蔵された類似する磁石（１２）と相互作用することに最終的に留意されたい。
【００３７】
一対の磁石（１１および１２）の存在によって、ドア（Ｐ）が閉鎖されるときには毎回、カーソル（６）の自動前進移動が決定され、ドア（Ｐ）を開放するときに必要なカーソル（６）の後方移動には、保持レバー（２ｉ、２ｅ）のうちの１つを手動で動かすことが必要となる。
【００３８】
前述のように、ドアが自由に開放されることを防ぐために、２つの保持レバー（２ｉ、２ｅ）のうちの１つを手動で起動して爪（８）を押し込まなければならない。
【００３９】
最後に、カーソル（６）を最大後方移動位置（つまり、ドア開放位置）に安定させるために、ばね（１４）が装備されているが、その戻し力は磁石（１１および１２）間の引力よりも明らかに小さくなければならないことに留意されたい。
【００４０】
具体的には、図４および図７に示すように、戻しばね（１４）は、第１の窓（７）の近くのカーソル（６）上に存在する第２の窓（１５）内に収容される。
【００４１】
図７に示すように、ばね（１４）は窓（１５）の横側のうちの１つと本体（１）に結合された固定ペグ（１６）との間に配置される。
【００４２】
カーソル（６）は半体（１ｉ）上にあるコンパートメント（Ｖ）内に収容され、コンパートメント（Ｖ）内を摺動することに留意されたい。図２からはっきり分かるように、コンパートメント（Ｖ）は長方形の板（１７）で内側に閉鎖され、中央のスロットを備える板（１８）で正面を閉鎖される。中央のスロットを通ってカーソルは出ることができる。
【００４３】
最後に、本発明のドアハンドルは、蝶番式のドアと摺動式ドアという、２つの異なるヴァージョンで実現することができることに留意されたい。
【００４４】
前述の説明および前述の図は、蝶番式のドアのヴァージョンに言及しているが、以下に摺動ドアについて言及する。
【００４５】
２つのヴァージョンは２、３の構造上の詳細において異なることが、すぐに分かるであろう。その差異を以下の図を参照しながら以下に示して説明する。
−図１０は、本発明によるドアハンドルの代替的ヴァージョンであり、摺動ドア上に取り付けられ、固定具がかかった位置でドアの内側から見た図である。
−図１１は、摺動ドア上に取り付けられる本発明によるドアハンドルの代替的ヴァージョンの分解組立図不等角投影図であり、ドアおよびドア枠の両方の断面を示す。固定具の板は固定されている。
−図１２は、固定具および固定具の旋回板の起動機構の図である。
−図１３は、固定具の旋回板の図である。
−図１４Ａから図１４Ｆは、ドアが開放されているとき、閉鎖されているとき、または閉鎖されてロックされているときの様々な位置における、本発明のハンドル（摺動ドア用ヴァージョン）の様々な部分の図である。
【００４６】
以下の説明では、修正されていないハンドルの部品は、蝶番式のドアヴァージョンの図１から図９までに用いた符号と同じ符号で示す。
【００４７】
ハンドルの保持レバー（２）、爪（８）または本体は修正されていないが、ラッチは多少修正されており、固定具の転倒機構を起動するための単一のカーソルとして用いる。
【００４８】
図１１および図１２を参照すると、保持レバー（２）は、窓（７０）を備えるカーソル（６０）と結合される。両方の保持レバー（２）の短いアーム（２ｂ）は窓（７０）に挿入される。
【００４９】
カーソル（６０）は、小さな接続ロッド（６１）によって、一端部にフック（６２ａ）を備える固定具（６２）に接続される。固定具（６２）の他端部は、枢軸ピン（６３）を受容するための穴を備える。枢軸ピン（６３）によって、固定具（６２）は板（６４）に蝶番式に取り付けられる。板（６４）は、フック（６２ａ）を通すことができる中央のスロット（６４ａ）と、ドア（Ｐ）のリブ（Ｂ）上に固定するための対向する一対の穴（６４ｂ）とを備える。
【００５０】
最後に、フック（６２ａ）は磁石（１１）を内蔵し、ドア（Ｐ）が閉鎖されているときには、磁石（１１）は、ドア（Ｐ）の枠（Ｔ）に取り付けられた後部板（１３）に内蔵された類似する磁石（１２）と相互作用し、フック（６２ａ）をひっかけるための屈曲した座面（１３ａ）を備えることに留意されたい。
【図１Ａ】
2015529291.tif 000003
【図１Ｂ】
2015529291.tif 000004
【図２】
2015529291.tif 000005
【図３Ａ】
2015529291.tif 000006
【図３Ｂ】
2015529291.tif 000007
【図４】
2015529291.tif 000008
【図５】
2015529291.tif 000009
【図６Ａ】
2015529291.tif 000010
【図６Ｂ】
2015529291.tif 000011
【図６Ｃ】
2015529291.tif 000012
【図６Ｄ】
2015529291.tif 000013
【図６Ｅ】
2015529291.tif 000014
【図６Ｆ】
2015529291.tif 000015
【図７】
2015529291.tif 000016
【図８Ａ】
2015529291.tif 000017
【図８Ｂ】
2015529291.tif 000018
【図９Ａ】
2015529291.tif 000019
【図９Ｂ】
2015529291.tif 000020
【図１０】
2015529291.tif 000021
【図１１】
2015529291.tif 000022
【図１２】
2015529291.tif 000023
【図１３】
2015529291.tif 000024
【図１４Ａ】
2015529291.tif 000025
【図１４Ｂ】
2015529291.tif 000026
【図１４Ｃ】
2015529291.tif 000027
【図１４Ｄ】
2015529291.tif 000028
【図１４Ｅ】
2015529291.tif 000029
【図１４Ｆ】
2015529291.tif 000030
【国際調査報告】
2015529291.tif 000031
2015529291.tif 000032